(57)【特許請求の範囲】
【請求項１】
外枠の一側縁上下部に設けられた固定金具に前面枠体を支持する支持手段を設け、前記前面枠体の一側縁上下部に設けられた可動金具に前記外枠に係止する係止手段を設け、
前記上部の係止手段は、前記上部可動金具に下向きに突設したヒンジ軸であって、該ヒンジ軸は、その基端側を円形軸部とすると共に、その先端側を円形軸部よりも細幅の扁平軸部とし、
前記上部の支持手段は、前記上部固定金具の上端面から前方に突出する突出片であって、該突出片には、その先端側を切り欠いて形成し前記扁平軸部が挿入できる幅の切欠溝と該切欠き溝に連通し前記円形軸部が嵌合される軸受孔とを設け、
前記ヒンジ軸の円形軸部と扁平軸部との境界に形成される該円形軸部の下面を後方上から手前下に向かう下向き傾斜面とし、
さらに、前記ヒンジ軸の扁平軸部には突起状の規制突部を設け、該規制突部は、前記下部固定金具の係止手段と前記下部可動金具の支持手段とが係止された状態で、且つ前記上部可動金具のヒンジ軸の円形軸部が前記上部固定金具の軸受孔から外されたとき前記突出片の下面に衝合する位置に設け、
前記下部の係止手段は、前記下部固定金具の水平板部上面に上向きに突設したヒンジ軸であり、該ヒンジ軸を中心とした周囲に前記下部可動金具の水平板部下面に接触する凸状部を形成してなり、
前記下部の支持手段は、前記下部可動金具の水平板部に設けられた軸受孔であることを特徴とするパチンコ遊技機のヒンジ機構。
【請求項２】
外枠の一側縁上下部に設けられた固定金具に前面枠体を支持する支持手段を設け、前記前面枠体の一側縁上下部に設けられた可動金具に前記外枠に係止する係止手段を設け、
前記上部の係止手段は、前記上部可動金具に下向きに突設したヒンジ軸であって、該ヒンジ軸は、その基端側を円形軸部とすると共に、その先端側を円形軸部よりも細幅の扁平軸部とし、
前記上部の支持手段は、前記上部固定金具の上端面から前方に突出する突出片であって、該突出片には、その先端側を切り欠いて形成し前記扁平軸部が挿入できる幅の切欠溝と該切欠き溝に連通し前記円形軸部が嵌合される軸受孔とを設け、
前記ヒンジ軸の円形軸部と扁平軸部との境界に形成される該円形軸部の下面を後方上から手前下に向かう下向き傾斜面とし、
さらに、前記ヒンジ軸の扁平軸部には突起状の規制突部を設け、該規制突部は、前記下部固定金具の係止手段と前記下部可動金具の支持手段とが係止された状態で、且つ前記上部可動金具のヒンジ軸の円形軸部が前記上部固定金具の軸受孔から外されたとき前記突出片の下面に衝合する位置に設け、
前記下部の係止手段は、前記下部固定金具の水平板部上面に上向きに突設したヒンジ軸であり、
前記下部の支持手段は、前記下部可動金具の水平板部に設けられた軸受孔であり、該軸受孔を中心とした周囲に前記下部固定金具の水平板部上面に接触する凸状部を形成してなることを特徴とするパチンコ遊技機のヒンジ機構。
【発明の詳細な説明】
【０００１】
【発明の属する技術分野】
本発明は、外枠に対して前面枠体を開閉可能に蝶着するパチンコ遊技機のヒンジ機構に関するものである。
【０００２】
【従来の技術】
従来、例えば外枠の一側縁の上下部に固定金具を設けると共に、前面枠体の一側縁の上下部に可動金具を設け、前記下部固定金具であり、その水平板部上面に下ヒンジ軸を上向きに突設すると共に、上部固定金具の水平板部に軸孔を設け、一方、前記下部可動金具であり、その水平板部に軸受孔を設けると共に、上部可動金具の水平板部に上ヒンジ軸を下向きに突設し、前記上下ヒンジ軸をそれぞれの軸孔に嵌め合わせることにより、前面枠体を外枠に開閉可能に蝶着してなるパチンコ遊技機のヒンジ機構は知られている。
【０００３】
【発明が解決しようとする課題】
ところで、上記のような従来のパチンコ遊技機のヒンジ機構は、外枠の下部固定金具の水平板部と前面枠体の下部可動金具の水平板部とが密着する構造であるため、その接触摩擦により前面枠体の開閉が非常に困難であったり、異音が発生したりするという問題点があった。また、互いの水平板部がこすれて磨耗し、前面枠体ががたついたり外枠との間に隙間ができたりして不正を誘発する等の問題点があった。
【０００４】
本発明は上記のような問題点に鑑みてなされたもので、その目的とするところは、外枠の下部固定金具の水平板部と前面枠体の下部可動金具の水平板部との接触面を少なくすることにより、外枠に対する前面枠体の開閉を容易かつスムーズに行うことができるようなパチンコ遊技機のヒンジ機構を提供しようとするものである。
【０００５】
【課題を解決するための手段】
上記した目的を達成するために、請求項１記載の発明は、外枠の一側縁の上下部に固定金具を設けると共に、前面枠体の一側縁の上下部に可動金具を設け、前記下部固定金具であり、その水平板部上面に下ヒンジ軸を上向きに突設すると共に、上部固定金具の水平板部に軸受孔を設け、一方、前記下部可動金具であり、その水平板部に軸受孔を設けると共に、上部可動金具の水平板部に上ヒンジ軸を下向きに突設し、前記上下ヒンジ軸をそれぞれの軸受孔に嵌め合わせることにより、前面枠体を外枠に開閉可能に蝶着してなるパチンコ遊技機のヒンジ機構において、前記下部固定金具の水平板部の上面であり、下ヒンジ軸を中心とした周囲に、下部可動金具の水平板部下面に接触する凸状部を形成してなることを特徴としている。
【０００６】
また、請求項２記載の発明は、外枠の一側縁の上下部に固定金具を設けると共に、前面枠体の一側縁の上下部に可動金具を設け、前記下部固定金具であり、その水平板部上面に下ヒンジ軸を上向きに突設すると共に、上部固定金具の水平板部に軸受孔を設け、一方、前記下部可動金具であり、その水平板部に軸受孔を設けると共に、上部可動金具の水平板部に上ヒンジ軸を下向きに突設し、前記上下ヒンジ軸をそれぞれの軸受孔に嵌め合わせることにより、前面枠体を外枠に開閉可能に蝶着してなるパチンコ遊技機のヒンジ機構において、前記下部可動金具の水平板部の下面であり、軸受孔を中心とした周囲に、下部固定金具の水平板部上面に接触する凸状部を形成してなることを特徴としている。
【０００７】
そして、請求項１及び２記載の発明によれば、外枠の下部固定金具の水平板部と前面枠体の下部可動金具の水平板部とが凸状部を介して接触することになるため、外枠の下部固定金具の水平板部と前面枠体の下部可動金具の水平板部との接触による摩擦抵抗を軽減することができ、外枠に対する前面枠体の開閉を容易かつスムーズに行うことが可能となる。
【０００８】
【発明の実施の形態】
次に、図面を参照して本発明の一実施の形態を説明する。図１はパチンコ遊技機の正面図、図２はガラス板保持枠と打球供給皿を有する前面板及び余剰球受皿を有する前面下部板を開いた状態の斜視図、図３は前面枠体とガラス板保持枠と前面板及び前面下部板を取り外した状態の分解斜視図、図４は前面枠体の斜視図である。図１において、パチンコ遊技機１は、縦長な方形状に枠組み形成される外枠２と、該外枠２の一側にヒンジ機構３によって開閉自在に装着される前面枠体４とを備え、該前面枠体４の前面一側にガラス板保持枠５と、打球供給皿６を有する前面板７及び余剰球受皿８を有する前面下部板９とがそれぞれ開閉自在に設けられている。また、前面下部板９には打球発射用の操作ハンドル１０が設けられている。
【０００９】
前記前面枠体４は、図４に示すように鉄板等の金属板によって形成されるもので、上部にほぼ正方形状の開口部１１が形成され、その下部が板状部１２ａとして形成された主枠部１２と、該主枠部１２の裏面側であり、開口部１１の上側位置を除く左右両側位置及び下側位置にそれぞれカシメ着されて該主枠部１２と一体化される遊技盤取付枠１３とを有し、その遊技盤取付枠１３であり、かつ主枠部１２の開口部１１を覆うように遊技盤１４が着脱可能に取り付けられるようになっている。
【００１０】
前記開口部１１は、その下部一側が遊技盤１４の遊技領域を形成する円形状の誘導レール１５の外周面に沿うように円弧状に張り出し形成されており、その円弧状形成面１６に打球供給皿６の賞球導入部１７に連通する賞球出口１８が開設されている。そして、開口部１１の下方の板状部１２ａには円形状取付孔１９及び方形状取付孔２０が貫通形成されており、円形状取付孔１９に打球発射機構２１が取り付けられ、方形状取付孔２０には通路構成体２２が取り外し自在に装着されている。また、前記前面枠体４の主枠部１２前面には図３及び図４に示すように遊技盤１４の遊技領域外を覆うようにレール飾り部材２３とレール変形防止部材２４が設けられており、さらに遊技盤１４の前面であり、遊技領域の外側位置には合成樹脂により形成された盤面部品としての証紙貼付部材２５が設けられている。２６は前面枠体４及びガラス板保持枠５の施錠機構であり、遊技盤取付枠１３を構成する左縦枠材１３ａの側部に組み付けられるようになっている。
【００１１】
一方、図４に示すように前記前面枠体４の前面であり、かつその軸支側の上端にガラス板保持枠５の一側上端が軸支される下向きのヒンジ軸２７を突設した支持体２８が固着されている。また、前面枠体４の軸支側であり、その中程よりやや下方位置に前面板7と下部前面板９とを軸支するためのヒンジ金具２９がカシメ着されている。このヒンジ金具２９は、上端にガラス板保持枠５と前面板７との間に介在してガラス板保持枠５の軸支側下面を受ける水平な上部支持片２９ａが形成され、上下略中間位置に前面板７と前面下部板９との間に介在して前面板７の軸支側下面を受ける水平な下部支持片２９ｂが形成され、さらにその下端には前面下部板９の軸支側下面を受ける水平受止片２９ｃがそれぞれ形成されており、これら上下部支持片２９ａ，２９ｂ及び水平受止片２９ｃにそれぞれ設けられた軸通孔３０ａ，３０ｂ，３０ｃにヒンジ軸杆３１を貫通させている。このヒンジ軸杆３１は、ハンマーなどで強く打ち込むことにより外周面に形成されたロレット加工３２部分を上部支持片２９ａの軸通孔３０ａに圧接させて抜脱しないように固着されており、その上端が上部支持片２９ａから上方へ僅かに突出するようにその長さが選ばれている。
【００１２】
ところで、前記ガラス板保持枠５は図２及び図３に示すように前面枠体４の上半部分を全巾にわたって覆う大きさに形成され、その中央部に遊技盤１４の遊技領域が視認可能な方形状の開口が形成される合成樹脂製の本体枠５ａと、該本体枠５ａの裏面側に装着される補強金属板５ｂとから構成されている。そして、このガラス板保持枠５の軸支側上端にヒンジ部材３３が設けられており、下端に前記ヒンジ軸杆３１に嵌合する軸孔３４が穿設されている。また、前記前面板７及び前面下部板９の軸支側であり、その上端と下端にはガラス板保持枠５の軸支側上端に設けられたヒンジ部材３３と同じ構造のヒンジ部材３３ａ，３３ａ及び３３ｂ，３３ｂが固着されている。
【００１３】
前記ヒンジ部材３３，３３ａ，３３ｂは、図５乃至図７に示すようにガラス板保持枠５と前面板７及び前面下部板９にそれぞれビス止めされる支持部３５と、該支持部３５に横方向へスライド自在に装着され、その先端に傾斜面３６が設けられた滑動子３７と該滑動子３７を付勢するばね３８とから構成されており、前記支持部３５にヒンジ軸杆３１が保持されるＵ字形溝３９が設けられている。
【００１４】
このように構成されたガラス板保持枠５を前面枠体４に取り付けるには、先ずガラス板保持枠５の下端軸孔３４をヒンジ金具２９の上部支持片２９ａから上方に突出したヒンジ軸杆３１に上方から嵌合させて連結し、次に図６に示すようにガラス板保持枠５のヒンジ部材３３を前面枠体４の支持体２８に突設されたヒンジ軸２７に接近させ、ヒンジ部材３３の滑動子３７の傾斜面３６にヒンジ軸２７を接触させた状態でガラス板保持枠５を前面枠体４に押し付ける。これによって滑動子３７の傾斜面３６に接触するヒンジ軸２７によって該滑動子３７がばね３８の付勢に抗して後退し、さらにガラス板保持枠５を押し付けることによりヒンジ軸２７が傾斜面３６の先端から外れて図７に示すように支持部３５のＵ字形溝３９に嵌り込み、同時に滑動子３７がばね３８の付勢で元の位置に復帰してヒンジ軸２７を外れないように保持する。このため、ガラス板保持枠５は、ヒンジ軸杆３１の突出部３１ａとヒンジ軸２７に支持されて前面枠体４に開閉自在に装着されることになる。なお、ガラス板保持枠５を前面枠体４から取り外すときは滑動子３７をばね３８の付勢に抗して指で後退させながらＵ字形溝３９からヒンジ軸２７を抜き出して外せばよい。
【００１５】
また、前記前面板７は、上下のヒンジ部材３３ａ，３３ａのＵ字形溝３９，３９をヒンジ金具２９の両支持片２９ａ、２９ｂ間に位置するヒンジ軸杆３１に嵌め込むことにより前面枠体４に開閉自在に装着され、前面下部板９は上下のヒンジ部材３３ｂ，３３ｂのＵ字形溝３９，３９をヒンジ金具２９の下部支持片２９ｂと水平受止片２９ｃ間に位置するヒンジ軸杆３１に嵌め込むことにより前面枠体４に開閉自在に装着することができる。
【００１６】
このように、ヒンジ金具２９の上部支持片２９ａから上方へ突出するヒンジ軸杆３１にガラス板保持枠５の一側下端を軸支し、両支持片２９ａ，２９ｂ間に位置するヒンジ軸杆３１に前面板７を軸支し、さらに下部支持片２９ｂと水平受止片２９ｃ間に位置するヒンジ軸杆３１に前面下部板９を軸支することにより、一本のヒンジ軸杆３１を共通軸として前面板７及び前面下部板９を前面枠体４に容易に装着することができる。
【００１７】
前記外枠２と前面枠体４のヒンジ機構３は、図８及び図９に示すように上部ヒンジ機構３ａと下部ヒンジ機構３ｂとから構成されている。上部ヒンジ機構３ａは図８に示すように外枠２の外側の上部隅部にビス５１で取り付けられる上部固定金具５２と前面枠体４の一側上部にカシメ着される上部可動金具５３とからなる。上部固定金具５２は、外枠２の上面に添わせる水平板部５２ａと外枠２の外側面に添わせる垂直板部５２ｂとにより逆Ｌ字形に形成されており、水平板部５２ａには外枠２の上面端部から前方に突出し、かつ外側に向かって開口する切欠き溝５４と該切欠き溝５４と連通状に軸受孔５５を穿設した突出片５６が一体に設けられている。なお、前記切欠き溝５４の両側に位置する突出片５６の上面は手前下から後方上へ向かう上向き傾斜面５６ａとして形成されている。
【００１８】
また、前記上部可動金具５３は、前面枠体４の裏面に添わせる取付片５３ａと前面枠体４の前方に突出する水平板部５３ｂとを有し、その水平板部５３ｂの先端下面に上ヒンジ軸５７が下向きに突設されている。前記上ヒンジ軸５７は、上部固定金具５２の軸受孔５５に嵌合する円形軸部５７ａと前面枠体４をほぼ直角状に開放した状態で切欠き溝５４に挿入できる幅に形成した扁平軸部５７ｂを有し、その円形軸部５７ａと扁平軸部５７ｂとの境界面が後方上から手前下へ向かう下向き傾斜面５７ｃとして形成されている。なお、前記上ヒンジ軸５７であり、その扁平軸部５７ｂには、前面枠体４の上動範囲を規制する突起状の規制突部６３が一体に設けられている。
【００１９】
一方、前記下部ヒンジ機構３ｂは、図９に示すように外枠２の内側の下部隅部にビス５８で取り付けられる下部固定金具５９と、前面枠体４の一側下部にカシメ着される下部可動金具６０とからなる。下部固定金具５９は、外枠２の下部内側に添わせる垂直な取付片部５９ａと外枠２の前方に突出する水平板部５９ｂとを有し、その水平板部５９ｂの上面に凸状部４０が一体に形成されている。この凸状部４０は、下部可動金具６０の水平板部６０ｂとの接触面を少なくして前面枠体４の開閉を円滑に行い得るようにするためのもので、図９及び図１３に示すように略円形状に膨出形成され、その中心に貫通孔４１が設けられている。そして、貫通孔４１の下方から下ヒンジ軸６１が上向きに貫通されてカシメ或いは溶接等により一体に固着されている。なお、前記下ヒンジ軸６１は下端に円形フランジ部４２が一体に形成されており、該円形フランジ部４２が水平板部５９ｂの裏面側に飛び出さないように凸状部４０の内側の窪み４３内に収められている。また、前記下部可動金具６０は、前面枠体４の裏面側に添わせる垂直な取付片部６０ａと前面枠体４の前方に突出する水平板部６０ｂとを有し、その水平板部６０ｂに前記下ヒンジ軸６１に嵌合する軸受孔６２が穿設されている。
【００２０】
しかして、外枠２に前面枠体４を軸支するには、先ず下部可動金具６０の軸受孔６２を下部固定金具５９の下ヒンジ軸６１に上方から嵌合させて連結する。このとき下部可動金具６０の水平板部６０ｂ下面が下部固定金具５９の水平板部５９ｂの上面に形成された凸状部４０に支持されることになる。次に、図１０鎖線で示すように前面枠体４をほぼ直角状に開放した状態に位置させて該前面枠体４の上部可動金具５３を外枠２の上部固定金具５２に接近させ、上部可動金具５３の上ヒンジ軸５７に形成された扁平軸部５７ｂを上部固定金具５２の切欠き溝５４に臨ませて前面枠体４を外枠２に押し付ける。これによって、図１１鎖線で示すように上ヒンジ軸５７の扁平軸部５７ｂが切欠き溝５４に侵入し、上部固定金具５２の上向き傾斜面５６ａと上部可動金具５３の上ヒンジ軸５７に形成された下向き傾斜面５７ｃとによって前面枠体４が徐々に上方へ押し上げられ、さらに前面枠体４を押し込むと上ヒンジ軸５７の円形軸部５７ａと上部固定金具５２の軸受孔５５とが一致する。このため、図１１実線で示すように前面枠体４が自重で下がって上ヒンジ軸５７の円形軸部５７ａが上部固定金具５２の軸受孔５５に嵌合されることになり、前面枠体４はヒンジ機構３を支点にして外枠２に開閉自在に軸支される。
【００２１】
そして、このように外枠２に開閉自在に軸支された前面枠体４は、図１３に示すように下部可動金具６０の水平板部６０ｂ下面が下部固定金具５９の水平板部５９ｂの上面に形成された凸状部４０に接触するだけであるから互いの接触面が少なくなり、外枠２の下部固定金具５９の水平板部５９ｂと前面枠体４の下部可動金具６０の水平板部６０ｂとの接触による摩擦抵抗を軽減することができて外枠２に対する前面枠体４の開閉を容易かつスムーズに行うことができる。しかも、凸状部４０の中心位置に下ヒンジ軸６１が設けられているため、無理なく安定した状態で前面枠体４を開閉することができ、異音が発生したり互いの接触面がこすれて磨耗したりするようなこともなくなる。
【００２２】
なお、前面枠体４を外枠２から取り外すには、前面枠体４をほぼ直角状に開放した状態に位置させて該前面枠体４を上方へ持ち上げ、上部可動金具５３の上ヒンジ軸５７の円形軸部５７ａを上部固定金具５２の軸受孔５５から上方へ外す。そして、上部可動金具５３の上ヒンジ軸５７の扁平軸部５７ｂを上部固定金具５２の切欠き溝５４から外した後、下部固定金具５９の下ヒンジ軸６１と下部可動金具６０の軸受孔６２との嵌合を外すことによって簡単に達せられる。また、前記規制突部６３は、前面枠体４を外枠２から取り外す際に前面枠体４を上方へ持ち上げ過ぎるようなことがあっても図１２鎖線で示すように規制突部６３が上部固定金具５２の突出片５６の下面に突き当たって前面枠体４を下部固定金具５９の下ヒンジ軸６１と下部可動金具６０の軸受孔６２との嵌合が外れる位置まで持ち上げることができなくなる。このため、前面枠体４が下部固定金具５９の水平板部６０ｂによる支持を失って下方に落下するようなことがなくなり、前面枠体４を外枠から容易かつ安全に取り外すことができる。
【００２３】
図１４は本発明の第２実施の形態を示すもので、下部可動金具６０の水平板部６０ｂの下面であり、軸受孔６２を中心とした周囲に下部固定金具５９の水平板部５９ｂ上面に接触する凸状部４０ａを形成したものである。この実施の形態の場合、下部固定金具５９の水平板部５９ｂの上面と下部可動金具６０の水平板部６０ｂ下面に形成された凸状部４０ａとが接触するだけであるから互いの接触面が少なくなり、第１実施の形態と同じように外枠２の下部固定金具５９の水平板部５９ｂと前面枠体４の下部可動金具６０の水平板部６０ｂとの接触による摩擦抵抗を軽減することができて外枠２に対する前面枠体４の開閉を容易かつスムーズに行うことができる。
【００２４】
【発明の効果】
以上説明したところから明らかなように、本発明に係るパチンコ遊技機のヒンジ機構は、互いに重なり合って接触する外枠の下部固定金具或いは前面枠体の下部可動金具のいずれか一方の水平板部に凸状部を形成し、その凸状部によって下部固定金具の水平板部と前面枠体の下部可動金具の水平板部との接触面を少なくするようにしたものであるから、下部固定金具の水平板部と前面枠体の下部可動金具の水平板部との接触による摩擦抵抗を軽減することができて外枠に対する前面枠体４の開閉を容易かつスムーズに行うことができる。
【００２５】
また、外枠の下部固定金具或いは前面枠体の下部可動金具に設けられるそれぞれの凸状部はプレス加工によって簡単に形成することが可能であり、製造コストが掛からず安価に提供することができる。
【図面の簡単な説明】
【図１】パチンコ遊技機の正面図である。
【図２】ガラス板保持枠と打球供給皿を有する前面板及び余剰球受皿を有する前面下部板を開いた状態の斜視図である。
【図３】前面枠体とガラス板保持枠と前面板及び前面下部板を取り外した状態の分解斜視図である。
【図４】前面枠体の斜視図である。
【図５】ヒンジ部材の斜視図である。
【図６】ヒンジ部材の作用を説明する平面断面図である。
【図７】ヒンジ部材の軸支状態を示す平面断面図である。
【図８】外枠と前面枠体の上部ヒンジ機構部分の斜視図である。
【図９】外枠と前面枠体の下部ヒンジ機構部分の斜視図である。
【図１０】外枠と前面枠体の上部ヒンジ機構部分の平面図である。
【図１１】外枠と前面枠体の上部ヒンジ機構部分の側面断面図である。
【図１２】上ヒンジ軸の規制突部の作用を説明する側面断面図である。
【図１３】下部固定金具に設けられた凸状部部分の拡大断面図である。
【図１４】下部可動金具に設けられた凸状部部分の拡大断面図である。
【符号の説明】
２                外枠
３                ヒンジ機構
４                前面枠体
４０              凸状部
４０ａ            凸状部
５２              上部固定金具
５３              上部可動金具
５３ｂ            水平板部
５５              軸受孔
５６              水平板部
５７              上ヒンジ軸
５９              下部固定金具
５９ｂ            水平板部
６０              下部可動金具
６０ｂ            水平板部
６１              下ヒンジ軸
６２              軸受孔
【図１】
0004063470.tif 000002
【図２】
0004063470.tif 000003
【図３】
0004063470.tif 000004
【図４】
0004063470.tif 000005
【図５】
0004063470.tif 000006
【図６】
0004063470.tif 000007
【図７】
0004063470.tif 000008
【図８】
0004063470.tif 000009
【図９】
0004063470.tif 000010
【図１０】
0004063470.tif 000011
【図１１】
0004063470.tif 000012
【図１２】
0004063470.tif 000013
【図１３】
0004063470.tif 000014
【図１４】
0004063470.tif 000015